(57)【要約】【課題】シャッタ開閉操作による画像形成装置の転倒を防止する。【解決手段】ドロワユニット３（ドロワフレーム２１）は、本体ケーシング２内に収容された収容位置と装置本体内から引き出された引出位置とに移動可能に設けられている。ドロワフレーム２１には、複数のトナーボックス１１が保持される。トナーボックス１１は、シャッタ７３を備えている。そして、ドロワフレーム２１には、第１作用部３３および第２作用部３４が設けられている。本体ケーシング２内には、当接部材１１７が備えられている。ドロワユニット３が引出位置から収容位置に移動されるときに、第１作用部３３が当接部材１１７に当接して移動され、シャッタ７３が閉塞位置から開放位置に移動する。ドロワユニット３が収容位置から引出位置に移動されるときには、第２作用部３４が当接部材１１７に当接して移動され、シャッタ７３が開放位置から閉塞位置に移動する。【選択図】図４Ａ
2011242548.tif 000002
【特許請求の範囲】
【請求項１】
装置本体と、
前記装置本体内に収容された収容位置と前記装置本体外に引き出された引出位置とに移動可能に設けられる保持部材と、
前記保持部材に保持され、前記保持部材の移動方向に互いに間隔を空けて並列に配置される複数の像担持体と、
前記保持部材に保持され、各前記像担持体に対応して設けられる複数の現像器と、
各前記現像器に対応して設けられ、前記引出位置に引き出された前記保持部材に対して着脱可能にそれぞれ構成されており、内部に収容されたトナーを対応する前記現像器に供給するための開口部が形成された筐体と、前記開口部を開放する開放位置と前記開口部を閉塞する閉塞位置とに開閉可能なシャッタとをそれぞれ有する複数のトナーボックスとを備え、
前記保持部材は、
第１位置と第２位置との間で移動可能に設けられ、前記シャッタが前記開放位置に位置した状態で前記第１位置に配置され、前記シャッタが前記閉塞位置に位置した状態で前記第２位置に配置される第１作用部と、
第３位置と第４位置との間で移動可能に設けられ、前記シャッタが前記開放位置に位置した状態で前記第３位置に配置され、前記シャッタが前記閉塞位置に位置した状態で前記第４位置に配置される第２作用部とを有し、
前記装置本体は、
前記保持部材が前記引出位置から前記収容位置に移動されるときに、前記第１作用部が当接し、その当接後の前記保持部材の移動に伴って、前記第１作用部を前記第２位置から前記第１位置に移動させ、前記保持部材が前記収容位置から前記引出位置に移動されるときに、前記第２作用部が当接し、その当接後の前記保持部材の移動に伴って、前記第２作用部を前記第３位置から前記第４位置に移動させるように構成された当接部材を有する、画像形成装置。
【請求項２】
前記第１作用部および前記第２作用部は、前記保持部材の移動方向に並んでいる、請求項１に記載の画像形成装置。
【請求項３】
前記保持部材に設けられ、前記第１位置に位置する前記第１作用部および前記第４位置に位置する前記第２作用部とを覆い隠す遮蔽部をさらに備える、請求項１または２に記載の画像形成装置。
【請求項４】
前記保持部材には、前記保持部材が前記収容位置と前記引出位置との間で移動されるときに、前記当接部材が通過する溝が形成されている、請求項１〜３のいずれか一項に記載の画像形成装置。
【請求項５】
前記第１作用部の前記第２位置から前記第１位置への移動に伴って、前記第２作用部が前記第４位置から前記第３位置に移動し、
前記第２作用部の前記第３位置から前記第４位置への移動に伴って、前記第１作用部が前記第１位置から前記第２位置に移動する、請求項１〜４のいずれか一項に記載の画像形成装置。
【請求項６】
前記第１位置に位置する前記第１作用部および前記第４位置に位置する前記第２作用部は、前記保持部材の移動方向と平行な所定の基準面よりも上側に配置され、
前記第２位置に位置する前記第１作用部および前記第３位置に位置する前記第２作用部は、前記基準面よりも下側に配置される、請求項１〜５のいずれか一項に記載の画像形成装置。
【請求項７】
前記保持部材は、前記トナーボックスが配置されるスペースを空けて対向配置され、それぞれ前記移動方向に延びる１対の側板を有し、
前記第１作用部および前記第２作用部は、前記一対の側板の少なくとも一方に設けられている、請求項１〜６のいずれか一項に記載の画像形成装置。
【請求項８】
前記第１作用部および前記第２作用部は、各前記トナーボックスに対応してそれぞれ複数設けられている、請求項１〜７のいずれか一項に記載の画像形成装置。
【請求項９】
前記第１作用部における前記当接部材との当接面と前記第２作用部における前記当接部材との当接面とが直交している、請求項１〜８のいずれか一項に記載の画像形成装置。
【発明の詳細な説明】
【技術分野】
【０００１】
本発明は、レーザプリンタなどの画像形成装置に関する。
【背景技術】
【０００２】
タンデム型のカラープリンタにおいて、本体ケーシングに対して、イエロー、マゼンタ、シアンおよびブラック用の４つの感光ドラムを一体的に着脱可能な構成としたものが知られている。
【０００３】
この種のカラープリンタでは、たとえば、フレームが本体ケーシングから水平方向に引き出し可能に設けられている。４つの感光ドラムは、フレームの引き出し方向に並べた状態で、フレームに保持されている。また、フレームには、各感光ドラムに対応して、現像ローラを有する現像カートリッジが着脱可能に上方から装着される。現像カートリッジの内部に収容されているトナーがなくなると、その現像カートリッジがフレームから取り出されて、新品の現像カートリッジがフレームに装着される。
【先行技術文献】
【特許文献】
【０００４】
【特許文献１】特開２００６−０９８７７２号公報
【発明の概要】
【発明が解決しようとする課題】
【０００５】
近年、プリンタメーカに対して、低コスト化および環境への配慮が要求されている。低コスト化および環境配慮の面からは、トナーがなくなったときに、現像ローラを有する現像カートリッジごと新品と交換する方式ではなく、現像ローラをフレームに残した状態で、トナーを収容したトナーボックスのみを交換可能な方式（トナーボックス交換方式）が望ましい。
【０００６】
トナーボックスには、トナーボックス内のトナーを排出するための開口が形成されている。そして、トナーボックスには、開口を開閉するためのシャッタが設けられている。トナーボックスがフレームから離脱された状態では、シャッタが開口と対向する位置に移動されて、開口がシャッタにより閉塞される。これにより、トナーボックス内のトナーが開口から漏出することが防止される。一方、トナーボックスがフレームに装着された状態では、トナーボックス内のトナーを現像ローラ（現像装置）に供給するために、シャッタが開口と対向しない位置に移動されて、開口が開放される。
【０００７】
このように、トナーボックス交換方式では、フレームに対するトナーボックスの着脱の際に、シャッタを開閉しなければならない。そのため、シャッタを開閉するために操作される操作部材が必要となる。フレームに対してトナーボックスが上方から装着される構成では、スペースの関係などから、操作部材をトナーボックスの上方に設けることが考えられる。
【０００８】
ところが、本体ケーシングからフレームを引き出した状態では、カラープリンタの重心がフレームの引き出し側に移動しているので、フレームに装着されたトナーボックスの上方の操作部材が操作されて、カラープリンタに対してフレームが下がる方向のモーメントが生じると、カラープリンタが転倒するおそれがある。
【０００９】
本発明の目的は、シャッタ開閉操作による転倒を防止することができる、画像形成装置を提供することである。
【課題を解決するための手段】
【００１０】
前記の目的を達成するため、本発明は、画像形成装置であって、装置本体と、前記装置本体内に収容された収容位置と前記装置本体外に引き出された引出位置とに移動可能に設けられる保持部材と、前記保持部材に保持され、前記保持部材の移動方向に互いに間隔を空けて並列に配置される複数の像担持体と、前記保持部材に保持され、各前記像担持体に対応して設けられる複数の現像器と、各前記現像器に対応して設けられ、前記引出位置に引き出された前記保持部材に対して着脱可能にそれぞれ構成されており、内部に収容されたトナーを対応する前記現像器に供給するための開口部が形成された筐体と、前記開口部を開放する開放位置と前記開口部を閉塞する閉塞位置とに開閉可能なシャッタとをそれぞれ有する複数のトナーボックスとを備え、前記保持部材は、第１位置と第２位置との間で移動可能に設けられ、前記シャッタが前記開放位置に位置した状態で前記第１位置に配置され、前記シャッタが前記閉塞位置に位置した状態で前記第２位置に配置される第１作用部と、第３位置と第４位置との間で移動可能に設けられ、前記シャッタが前記開放位置に位置した状態で前記第３位置に配置され、前記シャッタが前記閉塞位置に位置した状態で前記第４位置に配置される第２作用部とを有し、前記装置本体は、前記保持部材が前記引出位置から前記収容位置に移動されるときに、前記第１作用部が当接し、その当接後の前記保持部材の移動に伴って、前記第１作用部を前記第２位置から前記第１位置に移動させ、前記保持部材が前記収容位置から前記引出位置に移動されるときに、前記第２作用部が当接し、その当接後の前記保持部材の移動に伴って、前記第２作用部を前記第３位置から前記第４位置に移動させるように構成された当接部材を有することを特徴としている。
【発明の効果】
【００１１】
本発明によれば、保持部材は、装置本体内に収容された収容位置と装置本体外に引き出された引出位置とに移動可能に設けられている。保持部材には、複数の像担持体が保持部材の移動方向に互いに間隔を空けて並列に配置される状態で保持されている。また、保持部材には、複数の現像器がそれぞれ像担持体に対応して配置された状態で保持されている。さらに、保持部材には、複数のトナーボックスが保持される。複数のトナーボックスは、それぞれ現像器に対応して設けられ、引出位置に引き出された保持部材に対して着脱可能である。
【００１２】
トナーボックスは、内部にトナーを収容する筐体を備えている。筐体には、トナーを現像器に供給するための開口部が形成されている。また、トナーボックスは、開口部を開放する開放位置と開口部を閉塞する閉塞位置とに移動可能なシャッタを備えている。
【００１３】
保持部材には、第１作用部および第２作用部が備えられている。第１作用部は、第１位置と第２位置との間で移動可能に設けられ、シャッタが開放位置に位置した状態で第１位置に配置され、シャッタが閉塞位置に位置した状態で第２位置に配置される。第２作用部は、第３位置と第４位置との間で移動可能に設けられ、シャッタが開放位置に位置した状態で第３位置に配置され、シャッタが閉塞位置に位置した状態で第４位置に配置される。
【００１４】
そして、装置本体には、当接部材が備えられている。保持部材が引出位置から収容位置に移動されるときに、第１作用部が当接部材に当接し、その当接後の保持部材の移動に伴って、第１作用部が第２位置から第１位置に移動される。保持部材が引出位置に引き出された状態で、シャッタが閉塞位置に位置していても、その保持部材の移動に伴った第１作用部の移動により、シャッタが閉塞位置から開放位置に移動する。一方、保持部材が収容位置から引出位置に移動されるときには、第２作用部が当接部材に当接し、その当接後の保持部材の移動に伴って、第２作用部が第３位置から第４位置に移動される。この第２作用部の移動により、シャッタが開放位置から閉塞位置に移動する。
【００１５】
このように、保持部材の移動に伴って、第１作用部または第２作用部が移動し、シャッタが開放位置と閉塞位置との間で自動的に移動するので、保持部材が引出位置に引き出された状態において、シャッタの移動のための操作が不要である。よって、シャッタ開閉操作による画像形成装置の転倒を防止することができる。
【図面の簡単な説明】
【００１６】
【図１】図１は、本発明の一実施形態に係るカラープリンタの断面図である。
【図２】図２は、図１に示されるカラープリンタの斜視図であり、ドロワユニットが本体フレームから引き出された状態を示す。
【図３】図３は、図１に示されるドロワユニットの斜視図であり、すべてのトナーボックスが離脱された状態を示す。
【図４Ａ】図４Ａは、図１に示されるドロワユニットの左側面図であり、第１作用部が第１位置に位置し、第２作用部が第３位置に位置し、シャッタが開放位置に位置している状態を示す。
【図４Ｂ】図４Ｂは、図１に示されるドロワユニットの左側面図であり、第１作用部が第２位置に位置し、第２作用部が第４位置に位置し、シャッタが閉塞位置に位置している状態を示す。
【図５】図５は、図４Ａ，４Ｂに示される作用部材の斜視図である。
【図６】図６は、図３に示されるドロワユニットの平面図である。
【図７】図７は、図６に示される切断線Ａ−Ａにおけるドロワユニットの断面図である。
【図８】図８は、図６に示されるシャッタ駆動部材の斜視図である。
【図９】図９は、図８に示されるシャッタ駆動部材の斜視図である。
【図１０】図１０は、図１に示されるトナーボックスの斜視図である。
【図１１】図１１は、図１０に示されるトナーボックスの分解斜視図である。
【図１２】図１２は、図１１に示されるトナーシールの側面図である。
【図１３】図１３は、図１２に示されるメッシュ層の表面の一部の斜視図である。
【図１４】図１４は、図１２に示されるメッシュ層の断面図である。
【図１５Ａ】図１５Ａは、図１０に示されるトナーボックスの底面図であり、シャッタが開放位置に位置している状態を示す。
【図１５Ｂ】図１５Ｂは、図１０に示されるトナーボックスの底面図であり、シャッタが閉塞位置に位置している状態を示す。
【図１６Ａ】図１６Ａは、図１０に示されるトナーボックスおよび図７に示されるシャッタ駆動部材の断面図であり、シャッタが開放位置に位置している状態を示す。
【図１６Ｂ】図１６Ｂは、図１０に示されるトナーボックスおよび図７に示されるシャッタ駆動部材の断面図であり、シャッタが閉塞位置に位置している状態を示す。
【図１７Ａ】図１７Ａは、図１０に示されるトナーボックスおよび図７に示されるシャッタ駆動部材の左側面図であり、トナーボックスがシャッタ駆動部材と結合される前の状態をロック機構の状態を含めて示す。
【図１７Ｂ】図１７Ｂは、図１０に示されるトナーボックスおよび図７に示されるシャッタ駆動部材の左側面図であり、トナーボックスがシャッタ駆動部材と結合された後の状態をロック機構の状態を含めて示す。
【図１８】図１８は、図１７Ａ，１７Ｂに示されるロック機構の一部を示す斜視図である。
【図１９Ａ】図１９Ａは、図１７Ａ，１７Ｂに示されるロック機構によりシャッタが固定された状態を示す断面図である。
【図１９Ｂ】図１９Ｂは、図１７Ａ，１７Ｂに示されるロック機構によるシャッタの固定が解除された状態を示す断面図である。
【図２０】図２０は、作用部材の変形例を示す斜視図である。
【図２１Ａ】図２１Ａは、図２０に示される作用部材が採用されたドロワユニットの左側面図であり、ドロワユニットが引出位置から収容位置に移動される途中の状態を示す。
【図２１Ｂ】図２１Ｂは、図２０に示される作用部材が採用されたドロワユニットの左側面図であり、図２１Ａに示される状態の次の状態を示す。
【図２１Ｃ】図２１Ｃは、図２０に示される作用部材が採用されたドロワユニットの左側面図であり、図２１Ｂに示される状態の次の状態を示す。
【発明を実施するための形態】
【００１７】
以下では、本発明の実施の形態について、添付図面を参照しつつ詳細に説明する。
１．カラープリンタの構成
図１に示されるように、画像形成装置の一例としてのカラープリンタ１は、タンデム型のカラープリンタである。カラープリンタ１は、図１，２に示されるように、装置本体の一例としての本体ケーシング２を備えている。本体ケーシング２内には、ドロワユニット３が装着されている。本体ケーシング２の前面には、フロントカバー４が開閉可能に設けられている。そして、ドロワユニット３は、フロントカバー４を開けた状態で、本体ケーシング２内の収容位置（図１に実線で示される位置）と本体ケーシング２外の引出位置（図１に仮想線で示される位置、図２に示される位置）との間で水平方向に移動させることができる。
【００１８】
なお、フロントカバー４が設けられている側（図１における左側）をカラープリンタ１の前側（正面側）とする。また、カラープリンタ１の上下左右に関しては、カラープリンタ１を前側から見たときを基準とする。また、ドロワユニット３およびこれに装着されるトナーボックス１１については、特に言及がない限り、本体ケーシング２に装着された状態での方向を基準として説明する。図２では、フロントカバー４の図示が省略されている。
ドロワユニット３には、図１に示されるように、４つの像担持体の一例としての感光ドラム５がそれぞれ左右方向に延びる回転軸線を中心に回転可能に保持されている。４つの感光ドラム５は、ブラック、イエロー、マゼンタおよびシアンの各色用として設けられ、前側からブラック、イエロー、マゼンタおよびシアンの順に前後方向に等間隔で並列に配置されている。
【００１９】
また、ドロワユニット３には、４つの帯電器６が保持されている。４つの帯電器６は、それぞれ感光ドラム５に対応して設けられ、その対応する感光ドラム５の後上方に配置されている。帯電器６は、たとえば、ワイヤおよびグリッドを備えるスコロトロン型帯電器である。
【００２０】
さらに、ドロワユニット３には、４つの現像器７が保持されている。４つの現像器７は、それぞれ感光ドラム５に対応して設けられ、その対応する感光ドラム５の前上方に配置されている。各現像器７は、現像フレーム８と、現像フレーム８に収容される現像ローラ９とを備えている。現像ローラ９は、左右方向に延びる回転軸線を中心に回転可能に設けられ、感光ドラム５に接触するように配置されている。
【００２１】
また、ドロワユニット３には、４つのクリーナ１０が保持されている。４つのクリーナ１０は、それぞれ感光ドラム５に対応して設けられ、その対応する感光ドラム５の前上方に配置されている。クリーナ１０は、感光ドラム５の表面に付着している紙粉などを除去する。
【００２２】
そして、ドロワユニット３において、各現像器７の上部には、トナーを収容するトナーボックス１１を装着するためのスペース１２が設けられている。トナーボックス１１は、ドロワユニット３が引出位置に引き出された状態で、ドロワユニット３の上方から各現像器７の上方のスペース１２に装着される。現像器７には、トナーボックス１１からトナーが供給される。
【００２３】
本体ケーシング２内において、ドロワユニット３の上方には、各色に対応した４本のレーザビームを出射する露光器１３が配置されている。
【００２４】
感光ドラム５の回転に伴って、感光ドラム５の表面は、帯電器６からの放電によって一様に帯電された後、露光器１３からのレーザビームにより選択的に露光される。この露光によって、感光ドラム５の表面から電荷が選択的に除去され、感光ドラム５の表面に静電潜像が形成される。静電潜像が現像ローラ９に対向すると、現像ローラ９から静電潜像にトナーが供給される。これによって、感光ドラム５の表面にトナー像が形成される。
【００２５】
なお、露光器１３に代えて、４つのＬＥＤアレイが各感光ドラム５に対応して設けられてもよい。
【００２６】
本体ケーシング２の底部には、用紙Ｐを収容する給紙カセット１４が配置されている。給紙カセット１４に収容されている用紙Ｐは、各種ローラにより、搬送ベルト１５上に搬送される。搬送ベルト１５は、４つの感光ドラム５に下方から対向して配置されている。感光ドラム５に対して搬送ベルト１５の上側部分を挟んで対向する各位置には、転写ローラ１６が配置されている。搬送ベルト１５上に搬送された用紙Ｐは、搬送ベルト１５の走行により、搬送ベルト１５と各感光ドラム５との間を順次に通過する。そして、感光ドラム５の表面上のトナー像は、用紙Ｐと対向したときに、用紙Ｐに転写される。
【００２７】
搬送ベルト１５に対して用紙Ｐの搬送方向における下流側には、定着器１７が設けられている。トナー像が転写された用紙Ｐは、定着器１７に搬送される。定着器１７では、加熱および加圧により、トナー像が用紙Ｐに定着される。トナー像が定着した用紙Ｐは、各種ローラにより、本体ケーシング２の上面の排紙トレイ１８に排出される。
２．ドロワユニット
（１）ドロワフレーム
図３に示されるように、ドロワユニット３は、保持部材の一例としてのドロワフレーム２１を備えている。ドロワフレーム２１は、左右方向に間隔を開けて対向する１対の側板２２，２３と、側板２２，２３の各前端部間に架設されるフロントビーム２４と、側板２２，２３の各後端部間に架設されるリヤビーム２５とを備え、全体として、平面視で四角枠状をなしている。
【００２８】
４つの感光ドラム５、４つの帯電器６、４つの現像器７および４つのクリーナ１０（図１参照）は、側板２２，２３により、その左右両側から挟まれた状態で一括して保持されている。そして、側板２２，２３の間において、各現像器７の上方にトナーボックス１１を装着するためのスペース１２が設けられている。言い換えれば、側板２２，２３は、各４つの感光ドラム５、帯電器６、現像器７およびクリーナ１０を保持するとともに、トナーボックス１１を装着するためのスペース１２を確保する間隔を左右方向に開けて、左右方向において互いに対向している。
（２）作用部材
左側の側板２２の左側面（外側面）には、図４Ａ，４Ｂに示されるように、４つの作用部材３１がそれぞれスペース１２に対応して配置されている。作用部材３１は、図５に示されるように、側面視円形状の本体部３２と、本体部３２の周縁から本体部３２の径方向に延びる略四角柱状の第１作用部３３と、本体部３２の周縁から本体部３２の径方向に延びる略四角柱状の第２作用部３４とを一体的に有している。
【００２９】
本体部３２は、その中心が連結軸（図示せず）に回転不能に結合され、連結軸が側板２２を貫通して回転可能に支持されることにより、連結軸を中心に回転可能に設けられている。
【００３０】
第１作用部３３および第２作用部３４は、本体部３２の周方向に位置を異ならせて配置されている。具体的には、第１作用部３３の位置と第２作用部３４の位置とは、本体部３２の中心まわりに約４５°の中心角をなしている。
【００３１】
各作用部材３１の下方の位置には、図５，６に示されるように、左右方向に延びる軸３５が設けられている。軸３５は、側板２２，２３間に回転可能に架設されている。
軸３５の左端部には、側板２２の右側（内側）において、左ピニオンギヤ３６が相対回転不能に取り付けられている。左ピニオンギヤ３６の回転が阻害されないように、左ピニオンギヤ３６と側板２２との間には、微小な間隔が空けられている。一方、軸３５の右端部には、側板２３の左側（内側）において、右ピニオンギヤ３７が相対回転不能に取り付けられている。右ピニオンギヤ３７は、左ピニオンギヤ３６よりも左右方向に長く形成されている。右ピニオンギヤ３７の回転が阻害されないように、右ピニオンギヤ３７と側板２３との間には、微小な間隔が空けられている。
【００３２】
そして、各作用部材３１の本体部３２に対して側板２２を挟んで対向する位置には、結合ギヤ３８が配置されている。この結合ギヤ３８は、側板２２を貫通する連結軸（図示せず）における右端部に相対不能に結合され、連結軸および本体部３２と一体的に回転可能に設けられている。そして、結合ギヤは、２つの中継ギヤ３９Ａ，３９Ｂを介して、左ピニオンギヤ３６に連結されている。
【００３３】
（３）カバー
また、図３に示されるように、左側の側板２２の左側面には、４つの結合部材３４を一括して覆う遮蔽部の一例としてのカバー１１１が設けられている。カバー１１１は、前後方向に延びる側板部１１２と、側板部１１２の前端部から側板２２に向けて延び、側板２２の左側面に当接する前板部１１３と、側板部１１２の後端部から側板２２に向けて延び、側板２２の左側面に当接する後板部１１４とを一体的に有している。側板２２の上端部は、左側に屈曲して鍔をなし、カバー１１１の上端縁は、その鍔をなす側板２２の上端部に下方から当接している。したがって、カバー１１１に囲まれる空間（結合部材３４が収容されている空間）は、下方にのみ開放されている。
【００３４】
そして、結合部材３４の第１作用部３３および第２作用部３４は、それぞれ鉛直下方に延びた状態において、それらの先端部がカバー１１１から下方に突出して露出する。また、図４Ａに示されるように、第１作用部３３が前下方に延びた状態において、その先端部は、カバー１１１の下端縁よりも上方に配置される。図４Ｂに示されるように、第２作用部３４が後下方に延びた状態において、その先端部は、カバー１１１の下端縁よりも上方に配置される。
（４）薄板部
さらに、側板２２の左側面には、カバー１１１の下端縁に対して下方に間隔を空けて、前後方向に延びる薄板部１１５が側板２２の前後方向の全幅にわたって形成されている。これにより、カバー１１１と薄板部１１５との間には、溝の一例としての溝状の隙間１１６が形成されている。この隙間１１６の幅、つまりカバー１１１と薄板部１１５との間の間隔は、カバー１１１から突出する第１作用部３３および第２作用部３４が薄板部１１５に接触せず、かつ、本体ケーシング２内に設けられる当接部材１１７が通過可能な幅となっている。
【００３５】
当接部材１１７は、図４Ａ，４Ｂに示されるように、円柱状をなし、ドロワユニット３が収容位置と引出位置との間で移動されるときに隙間１１６が通過する高さの位置に配置され、本体ケーシング２の左内面から右側に向けて延びている。
（５）現像フレーム
図３，６に示されるように、現像フレーム８は、前後方向に等間隔で配置され、側板２２，２３間に架設されている。トナーボックス１１を装着するための各スペース１２は、現像フレーム８によって区切られている。
【００３６】
現像フレーム８には、図７に示されるように、現像ローラ９を収容する現像室４１が形成されている。現像室４１は、感光ドラム５側が開放されており、この現像室４１における開放側の端部に、現像ローラ９が配置されている。
【００３７】
現像フレーム８は、現像室４１とトナーボックス１１を装着するためのスペース１２との間に、現像室４１側に向けて円弧状に凸湾曲した板状の仕切壁４２を有している。この仕切壁４２により、現像フレーム８内が現像室４１とその上方のスペース１２とに仕切られている。仕切壁４２の周方向の中央部には、図２に示されるように、スペース１２にトナーボックス１１が装着された状態で、そのトナーボックス１１に形成されている３つの連通口５８（図１１参照）と対向する位置に、３つの矩形状の開口４３が形成されている。
（６）シャッタ駆動部材
そして、図６，７に示されるように、仕切壁４２の上方には、後述するシャッタ７３を駆動するためのシャッタ駆動部材４４が移動可能に配置されている。
【００３８】
シャッタ駆動部材４４は、図８に示されるように、樹脂からなる本体部１１１と、本体部１１１上に接着された金属薄板からなる補強板１１２とを備えている。
【００３９】
本体部１１１は、図９に示されるように、左右方向に間隔を空けて並べて配置された４つの板状部４４１，４４２，４４３，４４４と、左右方向に延びる棒状をなし、板状部４４１〜４４４の後端部を連結する連結部４４５とを一体的に有している。各板状部４４１〜４４４は、仕切壁４２にほぼ沿うように現像室４１側に向けて円弧状に凸湾曲した板状をなしている。
【００４０】
なお、シャッタ駆動部材４４は、各現像フレーム８の仕切壁４２の上方に設けられているが、図６，７では、図面の簡素化のため、１つの仕切壁４２の上方に設けられたシャッタ駆動部材４４のみが示されている。
【００４１】
図６に示されるように、左端の板状部４４４は、左ピニオンギヤ３６に上方から対向している。そして、その下面（左ピニオンギヤ３６に対向する面）には、左ピニオンギヤ３６と噛合する左ラックギヤ４５が形成されている。
【００４２】
一方、右端の板状部４４１は、図５に示されるように、右ピニオンギヤ３７に上方から対向している。板状部４４１の下面（右ピニオンギヤ３７と対向する面）には、右ピニオンギヤ３７と噛合する右ラックギヤ４６が形成されている。
【００４３】
作用部材３１が回動されて、左ピニオンギヤ３６および右ピニオンギヤ３７が回動すると、それらの回動がそれぞれ左ラックギヤ４５および右ラックギヤ４６に伝達される。これにより、シャッタ駆動部材４４は、開口４３と対向する位置（図７に示される位置）とその前方の位置との間で移動する。
【００４４】
具体的には、第１作用部３３が鉛直下方に延びる第２位置（図４Ｂ参照）から前下方に延びる第１位置（図４Ａ参照）に移動されると、結合ギヤ３８および中継ギヤ３９Ａ，３９Ｂを介して、作用部材３１の回転が左ピニオンギヤ３５に伝達され、左ピニオンギヤ３６が軸３５および右ピニオンギヤ３７とともに回転する。この回転に伴い、シャッタ駆動部材４４は、開口４３と対向する位置から前方に移動し、開口４３と対向しない位置に配置される。第１作用部３３の第２位置から第１位置への移動に伴い、第２作用部３４は、後下方に延びる第４位置（図４Ｂ参照）から鉛直下方に延びる第３位置（図４Ａ参照）に移動する。
【００４５】
そして、この状態から、第２作用部３４が第３位置から第４位置に移動されると、結合ギヤ３８および中継ギヤ３９Ａ，３９Ｂを介して、作用部材３１の回転が左ピニオンギヤ３５に伝達され、左ピニオンギヤ３６が軸３５およびおよび右ピニオンギヤ３７ととおに回転する。この回転に伴い、シャッタ駆動部材４４は、開口４３と対向しない位置から後方に開口４３と対向する位置まで移動する。第２作用部３４の第３位置から第４位置の移動に伴い、第１作用部３３は、前下方に延びる第１位置（図４Ａ参照）から鉛直下方に延びる第２位置（図４Ｂ参照）に移動する。
【００４６】
各板状部４４１〜４４４の上面には、後述する各シャッタ駆動用開口８８と対応する位置に、シャッタ駆動用突起４７が形成されている。
【００４７】
補強板１１２は、板状部４４１の右端部および板状部４４４の左端部を除いて、本体部１１１の全域を被覆している。そして、補強板１１２における各シャッタ駆動用突起４７と重なる位置には、挿通口１１３が形成されている。各シャッタ駆動用突起４７は、挿通口１１３に挿通されて、補強板１１２の上方に突出している。
【００４８】
このように、本体部１１１に補強板１１２が重ね合わされることにより、シャッタ駆動部材４４の剛性を確保することができ、シャッタ駆動部材４４による後述するシャッタ７３（図１２参照）の安定した移動を達成することができる。
【００４９】
また、シャッタ駆動用突起４７が補強板１１２の挿通口１１３に挿通されることにより、本体部１１１に対して補強板１１２を位置決めすることができながら、シャッタ駆動用突起４７を補強板１１２から突出した状態に設けることができる。
【００５０】
さらに、シャッタ駆動部材４４の移動と連動して、補強板１１２により、仕切壁４２に形成されている３つの開口４３が開閉されるので、補強板１１２は、それらの開口４３を開閉する現像側シャッタとしての機能を有する。
３．トナーボックス
（１）本体
図１０，１１に示されるように、トナーボックス１１は、内部にトナーを収容する樹脂製の筐体の一例としての本体５１を備えている。本体５１は、左右方向に延びる中空の略半円柱状に形成されている。具体的には、本体５１は、内部にトナーを収容する空間が形成され、左右に長い長方形状の上面５２と、上面５２の前端縁に接続され、下方に向けて凸湾曲する断面略半円弧状の円弧面５３と、円弧面５３の後端縁から後方に向けて上面５２と平行に延びる固定面５４と、上面５２の後端縁と固定面５４の後端縁とに跨がる後面５５と、上面５２、円弧面５３、固定面５４および後面５５の各左端縁間に跨がる左側面５６と、上面５２、円弧面５３、固定面５４および後面５５の各右端縁間に跨がる右側面５７とを有する形状をなしている。
【００５１】
本体５１の円弧面５３には、図１１に示されるように、その最下端よりも少し後方の部分に、本体５１の内外を連通する３つの開口部の一例としての連通口５８が形成されている。３つの連通口５８は、左右方向に間隔を空けて並べて形成され、それぞれ左右方向に長い長方形状をなしている。
【００５２】
また、円弧面５３には、各連通口５８の左右両側に、円弧面５３の周方向に延びる細長い溝状の逃がし用溝５９が形成されている。
【００５３】
円弧面５３の前端部には、図１５Ａ，１５Ｂに示されるように、複数の位置決め用突起６０が左右方向に間隔を空けて形成されている。各位置決め用突起６０は、図１６Ａ，１６Ｂに示されるように、前方に延び、屈曲して上方に延びる鉤状をなしている。
【００５４】
また、図１１に示されるように、本体５１の左右両端部には、それぞれ円弧面５３の最下部から上方に窪む凹部６１，６２が形成されている。左側の凹部６１は、本体５１の左側面５６において開放されている。右側の凹部６２は、本体５１の右側面５７において開放されている。
【００５５】
トナーボックス１１は、本体５１の円弧面５３に貼着されるトナーシール７１と、円弧面５３を覆うように設けられるシャッタカバー７２と、円弧面５３とシャッタカバー７２との間に設けられるシャッタ７３とをさらに備えている。
（２）トナーシール
トナーシール７１は、図１１に示されるように、各連通口５８に対応して設けられている。トナーシール７１は、連通口５８に対応した開口７４を有するシート状に形成されている。そして、トナーシール７１は、連通口５８と開口７４とが対向して連通するように位置合わせされて、本体５１の円弧面５３に貼着され、連通口５８の周囲を取り囲んでいる。
【００５６】
また、トナーシール７１は、図１２に示されるように、弾性層７５と弾性層７５の一方面に配置されるメッシュ層７６との積層構造（２層構造）を有している。
【００５７】
弾性層７５は、弾性を有する発泡体（たとえば、株式会社ロジャースイノアック製の商品名：ポロン）からなる。弾性層７５は、メッシュ層７６よりもはるかに厚く形成されている。弾性層７５におけるメッシュ層７６側と反対側の面は、接着面７７とされ、接着剤を介して本体５１の円弧面５３に接着される。
【００５８】
メッシュ層７６は、その表面の一部が図１３に示され、断面の一部が図１４に示されるように、経糸７８と緯糸７９とが交互に浮き沈みさせて織られた平織り繊維からなる。
【００５９】
また、図１５Ａ，１５Ｂに示されるように、トナーシール７１において、連通口５８に対して前側（円弧面５３の前端部側）に配置される部分の円弧面５３に沿う方向の幅Ｄ１は、連通口５８に対して後側（円弧面５３の後端部側）に配置される部分の円弧面５３に沿う方向の幅Ｄ２よりも大きい。
（３）シャッタカバー
シャッタカバー７２は、樹脂フィルムからなり、本体５１の円弧面５３に沿って湾曲している。シャッタカバー７２は、０．０３ｍｍ以上０．３ｍｍ以下の範囲内の厚さを有し、好ましくは、０．０８ｍｍ以上０．２ｍｍ以下の厚さを有している。また、シャッタカバー７２の左右方向の幅は、円弧面５３の左右方向の幅とほぼ等しく、シャッタカバー７２は、円弧面５３を左右方向のほぼ全幅にわたって被覆している。
【００６０】
シャッタカバー７２の前端部には、図１１に示されるように、複数の位置決め用開口８０が左右方向に間隔を空けて形成されている。各位置決め用開口８０には、図１７Ａ，１７Ｂに示されるように、本体５１の円弧面５３に形成された位置決め用突起６０が係合している。より具体的には、シャッタカバー７２の前端部には、各位置決め用突起６０と左右方向において同じ位置に、位置決め用突起６０を挿通可能なサイズの位置決め用開口８０が形成されている。そして、各位置決め用開口８０には、位置決め用突起６０が挿通されて、その上端縁が位置決め用突起６０に係止されている。
【００６１】
また、シャッタカバー７２の後端部は、本体５１の固定面５４に沿うように折り曲げられている。このシャッタカバー７２の後端部には、図１１に示されるように、複数のビス挿通孔８１が左右方向に間隔を空けて形成されている。そして、図１５Ａ，１５Ｂに示されるように、各位置決め用開口８０と位置決め用突起６０とが係合され、各ビス挿通孔８１にビス８２が挿通されて、各ビス８２の先端部が本体５１の固定面５４にねじ込まれることにより、シャッタカバー７２が本体５１に取り付けられている。
【００６２】
また、シャッタカバー７２には、図１０，１１に示されるように、各トナーシール７１と対向する位置に、トナー流通用開口８３が形成されている。トナー流通用開口８３は、左右方向に長い長方形状をなし、その開口面積が連通口５８の開口面積よりも大きく、連通口５８の全域を露出させるように形成されている。また、トナー流通用開口８３は、図１５Ａに示されるように、シャッタ７３が開放位置（後述する）に位置する状態において、トナーシール７１における後端縁とトナー流通用開口８３の後端縁との間に隙間が形成されるとともに、トナーシール７１の左右両端縁とトナー流通用開口８３の左右両端縁との各間に隙間が形成され、トナーシール７１の前端部がシャッタカバー７２と本体５１の円弧面５３との間に挟まれるようなサイズに形成されている。これにより、シャッタ７３が開放位置に位置する状態では、トナーシール７１の後端縁および左右両端縁がシャッタカバー７２に覆われず、その後端縁および左右両端縁がトナー流通用開口８３を介して外側に突出する。
【００６３】
さらに、シャッタカバー７２には、図１１Ｂに示されるように、トナー流通用開口８３の左右方向の幅がシャッタカバー７２の後端部に近づくほど狭くなるように、トナー流通用開口８３の後側の両角部に、シャッタカバー７２の周方向に対して傾斜する部分をトナー流通用開口８３の周縁の一部として有する傾斜部８４が形成されている。
【００６４】
なお、傾斜部８４におけるトナー流通用開口８３の周縁の一部をなす部分は、シャッタカバー７２の周方向に対して傾斜していれば、直線状に延びていてもよいし、緩やかに湾曲していてもよい。図１１には、当該部分が緩やかに湾曲した形状が示されている。
【００６５】
また、シャッタカバー７２には、本体５１の各逃がし用溝５９と対向する位置に、前後方向（シャッタカバー７２の周方向）に長く延びるガイド用開口８５が形成されている。ガイド用開口８５の前後方向の長さは、逃がし用溝５９の前後方向の長さ以上である。また、ガイド用開口８５の左右方向の幅は、逃がし用溝５９の左右方向の幅以上である。そして、ガイド用開口８５は、逃がし用溝５９の全体と対向している。
【００６６】
さらに、シャッタカバー７２には、本体５１の凹部６１，６２と対向する位置に、それぞれロック部材挿通口８６，８７が形成されている。
（４）シャッタ
シャッタ７３は、樹脂フィルムからなり、図１１に示されるように、本体５１の円弧面５３に沿って湾曲している。シャッタ７３の左右方向の幅は、シャッタカバー７２の左右方向の幅よりも少し小さい。また、シャッタ７３は、円弧面５３に沿う方向において、トナーシール７１の円弧面５３に沿う方向の幅よりも大きく、シャッタ７３が後述する開放位置と閉塞位置との間で移動されたときに、シャッタ７３が本体５１の固定面５４および位置決め用突起６０に当接しないような幅を有している。
【００６７】
シャッタ７３には、本体５１の各逃がし用溝５９と対向する位置に、２つのシャッタ駆動用開口８８がシャッタ７３の周方向に間隔を開けて形成されている。シャッタ７３が開放位置および閉塞位置のいずれに位置している状態においても、すべてのシャッタ駆動用開口８８が逃がし用溝５９と対向し、シャッタカバー７２のガイド用開口８５と対向して連通するように、その各位置における２つのシャッタ駆動用開口８８の間隔が決められている。
【００６８】
また、シャッタ７３の後端部（円弧面５３の後端部側の端部）には、本体５１の各連通口５８と左右方向において同じ位置に、円弧面５３の後端部側に向かって開いたＶ字状の切欠８９が形成されている。これにより、シャッタ７３の後端縁は、シャッタ７３の周方向に対して傾斜する部分９０を有している。
【００６９】
さらに、シャッタ７３には、閉塞位置において、本体５１の凹部６１，６２と対向する位置に、それぞれロック用開口９１，９２が形成されている。これにより、シャッタ７３が閉塞位置に位置している状態において、ロック用開口９１，９２がそれぞれ凹部６１，６２と対向し、また、ロック用開口９１，９２がそれぞれシャッタカバー７２のロック部材挿通口８６，８７と対向して、凹部６１とロック部材挿通口８６とがロック用開口９１を介して連通するとともに、凹部６２とロック部材挿通口８７とがロック用開口９２を介して連通する。
【００７０】
そして、シャッタ７３は、本体５１の円弧面５３とシャッタカバー７２との間に挟まれて、それらにより保持された状態で、次に述べる開放位置と閉塞位置との間で移動されることができる。
（５）シャッタの開放位置
開放位置において、シャッタ７３は、図１５Ａに示されるように、シャッタカバー７２のトナー流通用開口８３に対して前側に配置されている。より具体的には、開放位置において、シャッタ７３の後端縁は、トナー流通用開口８３の前端縁よりも前側に位置し、シャッタ７３の後端部は、トナーシール７１の前端部とシャッタカバー７２との間に挟まれている。そのため、本体５１の連通口５８およびトナーシール７１の開口７４が互いに連通した状態で開放され、本体５１の内外が連通する。また、トナーシール７１の後端縁および左右両端縁が露出するので、その後端縁および左右両端縁がトナー流通用開口８３を介して外側に突出する。
（６）シャッタの閉塞位置
図１５Ｂに示されるように、閉塞位置は、開放位置に対して後側の位置である。閉塞位置において、シャッタ７３の後端縁は、トナー流通用開口８３の後端縁よりもわずかに後側に位置している。そのため、シャッタ７３は、切欠８９の一部と対向する部分を除いて、トナー流通用開口８３のほぼ全域と対向し、トナーシール７１は、その全体がシャッタ７３と本体５１の円弧面５３との間に挟まれる。その結果、本体５１の連通口５８およびトナーシール７１の開口７４の全域がシャッタ７３により覆われ、本体５１の内外がシャッタ７３により遮断される。
４．トナーボックスの装着
トナーボックス１１は、シャッタ７３が閉塞位置に位置している状態で、現像フレーム８の仕切壁４２の上方のスペース１２（図５参照）に着脱される。
【００７１】
スペース１２にトナーボックス１１が装着されていない状態では、図４Ｂに示されるように、各第１作用部３３が鉛直下方に延びる第２位置に位置し、その先端部がカバー１１１と薄板部１１５との間の隙間１１６に位置している。そして、仕切壁４２の上方のシャッタ駆動部材４４は、図６，７に示されるように、仕切壁４２の開口４３と対向する位置に位置している。
【００７２】
トナーボックス１１は、ドロワユニット３（ドロワフレーム２１）が本体ケーシング２外の引出位置（図１参照）に引き出された状態で、スペース１２に対して上方から装着される。このとき、図１６Ｂに示されるように、シャッタ駆動部材４４に形成されている相対的に前側のシャッタ駆動用突起４７は、ほぼ鉛直上方に向き、相対的に後側のシャッタ駆動用突起４７は、前上方に傾斜する方向に向いている。そして、トナーボックス１１がスペース１２に装着されると、各シャッタ駆動用突起４７がガイド用開口８５を介して各シャッタ駆動用開口８８に係合する。
【００７３】
その後、ドロワユニット３が引出位置から収容位置に向けて移動されると、図４Ｂに示されるように、当接部材１１７がカバー１１１と薄板部１１５との間の隙間１１６に後方から対向する。そして、ドロワユニット３がさらに移動されると、当接部材１１７が隙間１１６に後方から入り込み、当接部材１１７が隙間１１６を通過する。この過程で、当接部材１１７が第１作用部３３に次々と当接し、各第１作用部３３は、当接部材１１７から受ける押圧により、第２位置から前下方に延びる第１位置（図３Ａ参照）に移動される。この第１作用部３３の移動に伴い、シャッタ駆動部材４４が開口４３と対向する位置から開口４３と対向しない位置（図１６Ａ参照）に移動する。このシャッタ駆動部材４４の移動に伴って、シャッタ７３は、シャッタ駆動部材４４と一体的に開放位置から前方に移動し、開放位置に配置される。また、第２作用部３４は、後下方に延びる第４位置（図４Ｂ参照）から鉛直下方に延びる第３位置（図４Ａ参照）に移動する。
【００７４】
そして、図７に示されるように、仕切壁４２上には、各トナーシール７１と対向する位置に、環状のフレームシール９３が各開口４３の周囲を取り囲むように配置されている。シャッタ７３が開放位置に配置されると、トナーシール７１の後端縁および左右両端縁がトナー流通用開口８３を介して外側に突出し、その突出した部分がフレームシール９３と直に圧接するとともに、フレームシール９３におけるトナーシール７１と接触しない部分がシャッタカバー７２に接触する。これにより、仕切壁４２とシャッタカバー７２との間がトナーシール７１およびフレームシール９３によりシールされた状態で、トナーシール７１の開口７４と開口４３とがフレームシール９３の開口部分を介して連通する。
【００７５】
すべてのトナーボックス１１のシャッタ７３が開放位置に配置されると、すべての現像器７にトナーボックス１１からトナーが供給される。この後、フロントカバー４（図１参照）が閉じられると、カラープリンタ１における画像形成動作を開始することができる。
【００７６】
トナーボックス１１がドロワユニット３から取り外されるときには、フロントカバー４が開かれて、ドロワユニット３が収容位置から引出位置に引き出される。ドロワユニット３が収容位置から引出位置に向けて移動されると、図４Ａに示されるように、当接部材１１７が隙間１１６を前方から後方に向けて通過する。この過程で、当接部材１１７が第２作用部３４に次々と当接し、各第２作用部３４は、当接部材１１７から受ける押圧により、第３位置から第４位置（図４Ｂ参照）に移動される。この第２作用部３４の移動に伴い、シャッタ駆動部材４４が開口４３と対向しない位置から開口４３と対向する位置（図１６Ｂ参照）に移動する。このシャッタ駆動部材４４の移動に伴って、シャッタ７３は、シャッタ駆動部材４４と一体的に開放位置から後方に移動し、閉塞位置に配置される。
【００７７】
その後、トナーボックス１１がスペース１２から取り出される。シャッタ７３が閉塞位置に配置されているので、その取り出されたトナーボックス１１の本体５１内からトナーがこぼれるおそれはない。
５．ロック機構
トナーボックス１１がドロワユニット３から取り外された状態では、シャッタ駆動用開口８８にシャッタ駆動用突起４７が係合されていないので、シャッタ７３が本体５１およびシャッタカバー７２に対してフリーになる。そのため、トナーボックス１１に振動などが加わると、シャッタ７３が閉塞位置から移動するおそれがある。
【００７８】
そこで、トナーボックス１１の凹部６１，６２には、図１７Ａ，１７Ｂに示されるように、ドロワユニット３から取り出された状態でシャッタ７３を閉塞位置で固定するためのロック機構１０１が設けられている。凹部６１に設けられるロック機構１０１と凹部６２に設けられるロック機構１０１とは、互いに左右反転した構成であるので、以下では、ロック機構１０１の構成について、凹部６１に設けられたロック機構１０１を取り上げて説明する。
【００７９】
ロック機構１０１は、図１８に示されるように、アーム１０２と、アーム１０２に取り付けられたロック用突起１０３とを含む。
【００８０】
アーム１０２は、板ばねなどの弾性を有する薄板からなる。そして、アーム１０２は、凹部６１内で下方に延び、屈曲して左方に延び、さらに屈曲して下方に延びるクランク形状をなしている。具体的には、図１１７Ａ，１７Ｂに示されるように、アーム１０２は、凹部６１内で下方に延びる固定部１０４と、固定部１０４の下端から左方に延びる保持部１０５と、保持部１０５の左端から下方に延びる当接部１０６とを一体的に有している。固定部１０４は、ビス１０７により、本体５１における凹部６１内で左側に向いた面に固定されている。
【００８１】
ロック用突起１０３は、図１８に示されるように、扁平な四角柱状をなし、アーム１０２の保持部１０５の下面に固定されている。ロック用突起１０３は、シャッタ７３が閉塞位置に位置するときに、保持部１０５の下面におけるシャッタ７３のロック用開口９１と対向する位置に配置されている。
【００８２】
そのため、トナーボックス１１がドロワユニット３から取り外された状態では、図１７Ａ，１９Ａに示されるように、ロック用突起１０３は、シャッタ７３のロック用開口９１，９２に挿通される。これにより、シャッタ７３の閉塞位置からの移動が規制される。よって、トナーボックス１１がドロワユニット３から取り外された状態でのシャッタ７３の閉塞位置からの移動が防止される。
【００８３】
トナーボックス１１がドロワユニット３に設けられたスペース１２に装着されるときには、その装着の途中で、図１７Ｂ，１９Ｂに示されるように、アーム１０２の当接部１０６の下端がシャッタ駆動部材４４の上面（本体部４４１，４４４の上面）に当接する。トナーボックス１１が装着方向にさらに移動されると、当接部１０６がシャッタ駆動部材４４から受ける力により、アーム１０２の保持部１０５がその左端部が持ち上がるように撓み変形する。これにより、ロック用突起１０３がロック用開口９１，９２から離脱する。その結果、シャッタ７３は、本体５１およびシャッタカバー７２に対してフリーになり、シャッタ駆動部材４４と一体的に移動可能な状態になる。
６．作用効果
（１）作用効果１
以上のように、ドロワユニット３（ドロワフレーム２１）は、本体ケーシング２内に収容された収容位置と本体ケーシング２外に引き出された引出位置とに移動可能に設けられている。ドロワフレーム２１には、複数の感光ドラム５がドロワユニット３の移動方向である前後方向に互いに間隔を空けて並列に配置される状態で保持されている。また、ドロワフレーム２１には、複数の現像器７がそれぞれ感光ドラム５に対応して配置された状態で保持されている。さらに、ドロワフレーム２１には、複数のトナーボックス１１が保持される。複数のトナーボックス１１は、それぞれ現像器７に対応して設けられ、引出位置に引き出された保持部材に対して着脱可能である。
【００８４】
トナーボックス１１は、内部にトナーを収容する本体５１を備えている。本体５１には、トナーを現像器７に供給するための連通口５８が形成されている。また、トナーボックス１１は、連通口５８を開放する開放位置と連通口５８を閉塞する閉塞位置とに移動可能なシャッタ７３を備えている。
【００８５】
ドロワフレーム２１には、第１作用部３３および第２作用部３４が備えられている。第１作用部３３は、第１位置と第２位置との間で移動可能に設けられ、シャッタ７３が開放位置に位置した状態で第１位置に配置され、シャッタ７３が閉塞位置に位置した状態で第２位置に配置される。第２作用部３４は、第３位置と第４位置との間で移動可能に設けられ、シャッタ７３が開放位置に位置した状態で第３位置に配置され、シャッタ７３が閉塞位置に位置した状態で第４位置に配置される。
【００８６】
そして、本体ケーシング２内には、当接部材１１７が備えられている。ドロワユニット３が引出位置から収容位置に移動されるときに、第１作用部３３が当接部材１１７に当接し、その当接後のドロワユニット３の移動に伴って、第１作用部３３が第２位置から第１位置に移動される。ドロワユニット３が引出位置に引き出された状態で、シャッタ７３が閉塞位置に位置していても、そのドロワユニット３の移動に伴った第１作用部３３の移動により、シャッタ７３が閉塞位置から開放位置に移動する。一方、ドロワユニット３が収容位置から引出位置に移動されるときには、第２作用部３４が当接部材１１７に当接し、その当接後のドロワユニット３の移動に伴って、第２作用部３４が第３位置から第４位置に移動される。この第２作用部３４の移動により、シャッタ７３が開放位置から閉塞位置に移動する。
【００８７】
このように、ドロワユニット３の移動に伴って、第１作用部３３または第２作用部３４が移動し、シャッタ７３が開放位置と閉塞位置との間で自動的に移動するので、ドロワユニット３が引出位置に引き出された状態において、シャッタ７３の移動のための操作が不要である。よって、シャッタ７３の開閉操作によるカラープリンタ１の転倒を防止することができる。
【００８８】
また、当接部材１１７が本体ケーシング２内に設けられているため、シャッタ７３が開閉するときに力が加わる場所は、本体ケーシング２内に限定される。これによっても、カラープリンタ１の転倒を防止することができる。
（２）作用効果２
第１作用部３３および第２作用部３４が左右方向に異なる位置に配置される構成では、第１作用部３３と当接する当接部材と第２作用部３４と当接する当接部材とを個別に設ける必要がある。このカラープリンタ１では、第１作用部３３および第２作用部３４は、ドロワユニット３の移動方向である前後方向に並んでいる。そのため、ドロワユニット３が引出位置から収容位置に移動される時に、当接部材１１７を第１作用部３３に確実に当接させることができる。また、ドロワユニット３が収容位置から引出位置に移動される時に、当接部材１１７を第２作用部３４に確実に当接させることができる。よって、１つの当接部材１１７ですみ、カラープリンタ１の構成を簡素化することができる。
（３）作用効果３
側板２２の左側面には、カバー１１１が設けられている。第１作用部３３および第２作用部３４は、それぞれ第１位置および第４位置に位置している状態において、カバー１１１に覆い隠される。これにより、第１位置および第４位置にそれぞれ位置している第１作用部３３および第２作用部３４が手で操作されることを防止できる。
（４）作用効果４
また、側板２２の左側面には、カバー１１１と薄板部１１５とにより、溝状の隙間１１６が形成されている。ドロワユニット３が収容位置と引出位置との間で移動されるときに、当接部材１１７は、隙間１１６を通過する。よって、当接部材１１７がカバー１１１または薄板部１１５と当接することがなく、その当接によってドロワユニット３の移動が阻害されることを防止できる。
【００８９】
また、ドロワユニット３の第１作用部３８および第２作用部３９が当接部材１１７と干渉するときに、ドロワユニット３に過大な力がかかり、当接部材１１７が干渉位置から外れてしまうおそれがあるが、溝状の隙間１１６に当接部材１１７がガイドされているので、そのようなおそれはない。
（５）作用効果５
第１作用部３３の第２位置から第１位置への移動に伴って、第２作用部３４が第４位置から第３位置に移動する。また、第２作用部３４の第３位置から第４位置への移動に伴って、第１作用部３３が第１位置から第２位置に移動する。したがって、ドロワユニット３が引出位置から収容位置に移動されるときに、第１作用部３３を第２位置に確実に位置させておくことができ、ドロワユニット３が収容位置から引出位置に移動されるときに、第２作用部３４を第３位置に確実に位置させておくことができる。
（６）作用効果６
第１作用部３３および第２作用部３４は、それぞれ第２位置および第３位置に位置する状態、つまり鉛直下方に延びた状態において、それらの先端部がカバー１１１から下方に突出する。また、第１作用部３３および第２作用部３４は、それぞれ第１位置および第４位置に位置する状態において、その先端部は、カバー１１１の下端縁よりも上方に配置される。そのため、第２位置および第３位置にそれぞれ位置する第１作用部３３および第２作用部３４と当接部材１１７とを確実に当接させることができながら、第１位置および第４位置にそれぞれ位置している第１作用部３３および第２作用部３４が手で操作されることを防止できる。
（７）作用効果７
ドロワフレーム２１は、その移動方向に延びる１対の側板２２，２３を有している。１対の側板２２，２３は、トナーボックス１１が配置されるスペース１２を空けて対向配置されている。そして、第１作用部３３および第２作用部３４は、左側の側板２２の外側に設けられている。そのため、当接部材１１７と第１作用部３３および第２作用部３４とを容易に当接させることができる。
（８）作用効果８
第１作用部３３および第２作用部３４は、各トナーボックス１１に対応してそれぞれ４つ設けられている。これにより、各トナーボックス１１のシャッタ７３を個別に、開放位置と閉塞位置との間で移動させることができる。
７．変形例
図５に示される作用部材３１に代えて、たとえば、図２０に示される作用部材１２１が採用されてもよい。
【００９０】
図２０に示す作用部材１２１は、側面視円形状をなしている。作用部材１２１の左端面には、中心角が略９０°である扇形の凹部１２２が形成されている。これにより、結合部材１２１は、その径方向に延び、互いにほぼ直交する平面である第１作用部の一例としての第１作用面１２３および第２作用部の一例としての第２作用面１２４を有している。
【００９１】
第１作用面１２３および第２作用面１２４は、それぞれ鉛直下方に延びた状態において、カバー１１１と薄板部１１５との間の隙間１１６に位置する。また、図２１Ａ，２１Ｃに示されるように、第１作用面１２３および第２作用面１２４は、略水平に延びた状態において、カバー１１１の下端縁よりも上方に位置する。
【００９２】
ドロワユニット３が引出位置に引き出された状態で、ドロワユニット３にトナーボックス１１（図８参照）が装着された直後は、図２１Ａに示されるように、各第１作用面１２３が鉛直下方に延びる第２位置に位置している。そして、仕切壁４２の上方のシャッタ駆動部材４４は、図６，７に示されるように、仕切壁４２の開口４３と対向する位置に位置している。
【００９３】
ドロワユニット３が引出位置から収容位置に向けて移動されると、当接部材１１７がカバー１１１と薄板部１１５との間の隙間１１６に後方から対向する。そして、ドロワユニット３がさらに移動されると、図２１Ａに示されるように、当接部材１１７が隙間１１６に後方から入り込み、当接部材１１７が隙間１１６を通過する。この過程で、図２１Ｂに示されるように、当接部材１１７が第１作用面１２３に次々と当接し、各第１作用面１２３が当接部材１１７から受ける押圧により、当接部材１１７（作用部材３１）が回動し、図２１Ｃに示されるように、第１作用面１２３が第２位置から前方に延びる第１位置に移動される。この第１作用面１２３の移動に伴い、シャッタ駆動部材４４が開口４３と対向する位置から開口４３と対向しない位置（図１６Ａ参照）に移動する。このシャッタ駆動部材４４の移動に伴って、シャッタ７３は、シャッタ駆動部材４４と一体的に開放位置から前方に移動し、開放位置に配置される。また、第２作用面１２４は、後方に延びる第４位置から鉛直下方に延びる第３位置に移動する。
【００９４】
一方、トナーボックス１１がドロワユニット３から取り外されるときには、フロントカバー４が開かれて、ドロワユニット３が収容位置から引出位置に引き出される。ドロワユニット３が収容位置から引出位置に向けて移動されると、当接部材１１７が第２作用面１２４に次々と当接し、各第２作用面１２４が当接部材１１７から受ける押圧により、当接部材１１７が回動し、各第２作用面１２４が第３位置から第４位置に移動される。この第２作用面１２４の移動に伴い、シャッタ駆動部材４４が開口４３と対向しない位置から開口４３と対向する位置（図１６Ｂ参照）に移動する。このシャッタ駆動部材４４の移動に伴って、シャッタ７３は、シャッタ駆動部材４４と一体的に開放位置から後方に移動し、閉塞位置に配置される。
【００９５】
その他、特許請求の範囲に記載された事項の範囲で種々の設計変更を施すことが可能である。
【符号の説明】
【００９６】
１      カラープリンタ
２      本体ケーシング
３      ドロワユニット
５      感光ドラム
７      現像器
１１    トナーボックス
１２    スペース
２１    ドロワフレーム
２２    側板
２３    側板
３４    結合部材
３８    第１作用部
３９    第２作用部
５１    本体
５８    連通口
７３    シャッタ
１１１  カバー
１１５  薄板部
１１６  隙間
１１７  当接部材
１２１  結合部材
【図１】
2011242548.tif 000003
【図２】
2011242548.tif 000004
【図３】
2011242548.tif 000005
【図４Ａ】
2011242548.tif 000006
【図４Ｂ】
2011242548.tif 000007
【図５】
2011242548.tif 000008
【図６】
2011242548.tif 000009
【図７】
2011242548.tif 000010
【図８】
2011242548.tif 000011
【図９】
2011242548.tif 000012
【図１０】
2011242548.tif 000013
【図１１】
2011242548.tif 000014
【図１２】
2011242548.tif 000015
【図１３】
2011242548.tif 000016
【図１４】
2011242548.tif 000017
【図１５Ａ】
2011242548.tif 000018
【図１５Ｂ】
2011242548.tif 000019
【図１６Ａ】
2011242548.tif 000020
【図１６Ｂ】
2011242548.tif 000021
【図１７Ａ】
2011242548.tif 000022
【図１７Ｂ】
2011242548.tif 000023
【図１８】
2011242548.tif 000024
【図１９Ａ】
2011242548.tif 000025
【図１９Ｂ】
2011242548.tif 000026
【図２０】
2011242548.tif 000027
【図２１Ａ】
2011242548.tif 000028
【図２１Ｂ】
2011242548.tif 000029
【図２１Ｃ】
2011242548.tif 000030